(57)【要約】      （修正有）【課題】コンパクトに折り畳んで運搬できる折り畳み箱を提供する。【解決手段】本開示の折り畳み箱は、不使用時に折り畳むことが可能な折り畳み箱であって、矩形の第一側面板４１と、前記第一側面板の一辺に折り目を介して接続された矩形の第二側面板４２と、前記第一側面板における前記一辺に平行な辺に、折り目を介して接続された矩形の第三側面板４３と、前記第二側面板における前記第一側面板が接続する辺に平行な辺に、折り目を介して接続された矩形の第四側面板４４と、前記第四側面板における前記第二側面板が接続する辺に、平行な辺に折り目を介して接続された矩形の第五側面板４５と、前記第一側面板における前記一辺に直交する一方の辺に、接続する矩形の底面板１と、を備える。【選択図】図１
0003235248.tif 000002
【実用新案登録請求の範囲】
【請求項１】
不使用時に折り畳むことが可能な折り畳み箱であって、
矩形の第一側面板と、
前記第一側面板の一辺に折り目を介して接続された矩形の第二側面板と、
前記第一側面板における前記一辺に平行な辺に、折り目を介して接続された矩形の第三側面板と、
前記第二側面板における前記第一側面板が接続する辺に平行な辺に、折り目を介して接続された矩形の第四側面板と、
前記第四側面板における前記第二側面板が接続する辺に平行な辺に、折り目を介して接続された矩形の第五側面板と、
前記第一側面板における前記一辺に直交する一方の辺に、折り目を介して接続された矩形の底面板と、
を備え、
前記第二側面板、前記第三側面板及び前記第四側面板は合同であり、
前記第一側面板は、前記第四側面板と前記第五側面板を折り目において折り曲げずに一平面状にしたときの前記第四側面板と前記第五側面板を合わせた形と合同であり、
前記底面板における前記第一側面板に接続する辺に直交する辺は、前記第二側面板の前記第一側面板が接続する辺に直交する辺と同長であり、
前記第五側面板における前記第四側面板が接続する辺に平行な辺は、前記第三側面板における前記第一側面板が接続する辺に平行な辺に、折り目を介して接続され、
前記底面板における前記第一側面板が接続する辺以外の辺は、前記第二側面板、前記第三側面板、前記第四側面板及び前記第五側面板と非接続である
折り畳み箱。
【請求項２】
不使用時に折り畳むことが可能な折り畳み箱であって、
矩形の第一側面板と、
前記第一側面板の一辺に折り目を介して接続された矩形の第二側面板と、
前記第一側面板における前記一辺に平行な辺に、折り目を介して接続された矩形の第三側面板と、
前記第二側面板における前記第一側面板が接続する辺に平行な辺に、折り目を介して接続された矩形の第四側面板と、
前記第三側面板における前記第一側面板が接続する辺に平行な辺に、折り目を介して接続された矩形の第五側面板と、
前記第一側面板における前記一辺に直交する一方の辺に、折り目を介して接続された矩形の底面板と、
を備え、
前記底面板における前記第一側面板に接続する辺に直交する辺は、前記第二側面板の前記第一側面板が接続する辺に直交する辺と同長であり、
前記第四側面板における前記第二側面板に接続する辺に平行な辺と、前記第五側面板における前記第三側面板に接続する辺に平行な辺は非接続であり、
前記第一側面板は、前記第四側面板と前記第五側面板を非接続な辺において突き当てて一平面状にしたときの前記第四側面板と前記第五側面板を合わせた形と合同であり、
前記底面板における前記第一側面板が接続する辺以外の辺は、前記第二側面板、前記第三側面板、前記第四側面板及び前記第五側面板と非接続である
折り畳み箱。
【請求項３】
前記底面板における前記第一側面板が接続する辺に平行な辺に、折り目を介して接続された、前記第一側面板と合同な矩形の側面補助板と、
前記側面補助板を、前記第四側面板及び前記第五側面板に固定する第一固定手段と、
を備える請求項１または２に記載の折り畳み箱。
【請求項４】
前記第一側面板における前記底面板が接続する辺に平行な辺に、折り目を介して接続された、前記底面板と合同な矩形の上面板と、
前記上面板における前記第一側面板が接続する辺に平行な辺に、折り目を介して接続された上面固定板と、
前記上面固定板を前記側面補助板に固定する第二固定手段と、
を備える請求項３に記載の折り畳み箱。
【請求項５】
前記底面板の面上に、前記底面板のそれぞれの辺に平行になる各辺が、前記底面板のぞれぞれの辺よりも短い底面補強板を備える
請求項１から４のいずれか一つに記載の折り畳み箱。
【考案の詳細な説明】
【技術分野】
【０００１】
本考案は、不使用時に平面形状になる折り畳み箱に関する。
【背景技術】
【０００２】
従来、内容物を収納する際に立体形状になり、不使用時には平面形状に折り畳むことが可能な箱が提案されている。例えば、特許文献１に記載の折り畳み箱では、側面部を構成する四つの平面を無端状に接続することで、一部の面を分離することなく折り畳むことが可能となっている。
【先行技術文献】
【特許文献】
【０００３】
【特許文献１】特開２０１４−５５０３２号公報
【考案の概要】
【考案が解決しようとする課題】
【０００４】
しかしながら、特許文献１に記載の折り畳み箱は、折り畳み時にＴ字型になり、コンパクトに折り畳むことが出来ず、持ち運びの際に不便である。
【０００５】
本考案は、以上のような事情に鑑みてなされたものであり、コンパクトに折り畳んで運搬できる折り畳み箱を提供することを目的とする。
【課題を解決するための手段】
【０００６】
本開示の折り畳み箱は、不使用時に折り畳むことが可能な折り畳み箱であって、矩形の第一側面板と、前記第一側面板の一辺に折り目を介して接続された矩形の第二側面板と、
前記第一側面板における前記一辺に平行な辺に、折り目を介して接続された矩形の第三側面板と、前記第二側面板における前記第一側面板が接続する辺に平行な辺に、折り目を介して接続された矩形の第四側面板と、前記第四側面板における前記第二側面板が接続する辺に、平行な辺に折り目を介して接続された矩形の第五側面板と、前記第一側面板における前記一辺に直交する一方の辺に、接続する矩形の底面板と、を備え、前記第二側面板、前記第三側面板及び前記第四側面板は合同であり、前記第一側面板は、前記第四側面板と前記第五側面板を折り目において折り曲げずに一平面状にしたときの前記第四側面板と前記第五側面板を合わせた形と合同であり、前記底面板における前記第一側面板に接続する辺に直交する辺は、前記第二側面板の前記第一側面板が接続する辺に直交する辺と同長であり、前記第五側面板における前記第四側面板が接続する辺に平行な辺は、第三側面板における第一側面板が接続する辺に平行な辺に、折り目を介して接続され、前記底面板における前記第一側面板が接続する辺以外の辺は、前記第二側面板、前記第三側面板、前記第四側面板及び前記第五側面板と非接続である。
【考案の効果】
【０００７】
本考案によれば、折り畳み時に平面矩形状になり、コンパクトに折り畳んで運搬できる折り畳み箱を提供できる。
【図面の簡単な説明】
【０００８】
【図１】展開状態における折り畳み箱の略示斜視図である。
【図２】第一組立状態における折り畳み箱の略示斜視図である。
【図３】第二組立状態における折り畳み箱の略示斜視図である。
【図４】第三組立状態における折り畳み箱の略示斜視図である。
【図５】第一折り畳み状態における折り畳み箱の略示斜視図である。
【図６】第二折り畳み状態における折り畳み箱の略示斜視図である。
【図７】実施形態２に係る折り畳み箱の展開状態における略示斜視図である。
【図８】実施形態２に係る折り畳み箱の第一組立状態における略示斜視図である。
【図９】実施形態２に係る折り畳み箱の第一折り畳み状態における略示斜視図である。
【図１０】変形例に係る折り畳み箱の展開状態における略示斜視図である。
【考案を実施するための形態】
【０００９】
（実施形態１）
以下、実施形態１に係る折り畳み箱について、図面を用いて説明する。以下の図面では、図に示す上下前後左右を適宜使用する。
図１は折り畳み箱の展開時における略示斜視図である。図１に示すように、折り畳み箱Ｃは底面板１を備える。底面板１は矩形であり、長辺と短辺を備える。底面板１の長辺は左右に延び、短辺は前後に延びる。底面板１の上面には、矩形の底面補強板２が備えられる。底面補強板２は底面板１よりも、長辺及び短辺が後述する第一〜第五側面板の厚みの分だけ僅かに小さい。底面板１の長辺と底面補強板２の長辺が平行になり、底面板１の各辺よりも前記厚みと同長幅内側に底面補強板２の各辺が配置されるように、底面補強板２は底面板１に固着される。
【００１０】
底面板１には、前側の長辺に設けられた折り曲げ線Ｌ１を介して矩形の側面補強板３が接続される。側面補強板３の長辺は底面板１の長辺と平行且つ同長であり、側面補強板３の短辺は底面板１の短辺よりも短い。側面補強板３は、一方の長辺において折り曲げ線Ｌ１に接続している。
【００１１】
底面板１には、後側の長辺に設けられた折り曲げ線Ｌ２を介して矩形の第一側面板４１が接続される。第一側面板４１は側面補強板３と合同である。第一側面板４１は一方の長辺において折り曲げ線Ｌ２に接続している。
【００１２】
第一側面板４１には、右側の短辺に設けられた折り曲げ線Ｌ３を介して矩形の第二側面板４２が接続される。第二側面板４２の短辺は第一側面板４１の短辺と同長であり、第二側面板４２の長辺は底面板１の短辺と同長であり、第一側面板４１の長辺よりも短い。第二側面板４２は、一方の短辺において折り曲げ線Ｌ３に接続している。
【００１３】
また、第一側面板４１には、左側の短辺に設けられた折り曲げ線Ｌ４を介して矩形の第三側面板４３が接続される。第三側面板４３は第二側面板４２と合同である。第三側面板４３は、一方の短辺において折り曲げ線Ｌ４に接続している。
【００１４】
第二側面板４２には、他方の短辺に設けられた折り曲げ線Ｌ５を介して、矩形の第四側面板４４が接続される。第四側面板４４は、第二側面板４２及び第三側面板４３と合同である。第四側面板４４は、一方の短辺において折り曲げ線Ｌ５に接続している。
【００１５】
第四側面板４４には、他方の短辺に設けられた折り曲げ線Ｌ６を介して、矩形の第五側面板４５が接続される。第五側面板４５は、一方の短辺においてＬ６に接続している。第五側面板４５は他方の短辺に設けられた折り曲げ線Ｌ７を介して第三側面板４３が接続される。第三側面板４３は、他方の短辺において、折り曲げ線Ｌ７に接続している。
第五側面板４５の短辺は、第四側面板４４の短辺と同長である。また、第五側面板の長辺は、底面板１の長辺と短辺の長さの差分に等しい長さである。言い換えると、第四側面板４４と第五側面板４５を折り曲げ線Ｌ６において折り曲げずに、第四側面板４４の長辺と第五側面板４５の長辺を一直線にした場合、第四側面板４４と第五側面板４５を合わせた形状は、第一側面板４１の形状と合同となる。
以上のように、第一側面板４１、第二側面板４２、第三側面板４３、第四側面板４４及び第五側面板４５は無端状に接続される。
【００１６】
第一側面板４１には、後側の長辺に設けられた折り曲げ線Ｌ８を介して、矩形の上面板５が接続される。上面板５は底面板１と合同である。上面板５は、一方の長辺において折り曲げ線Ｌ８に接続している。
【００１７】
上面板５には、他方の長辺に設けられた折り曲げ線Ｌ９を介して、矩形の上面固定板６が接続される。上面固定板６の長辺は上面板５の長辺と平行且つ同長であり、上面固定板６の短辺は側面補強板３の短辺より短い。上面固定板６は、一方の長辺において折り曲げ線Ｌ９に接続している。
【００１８】
上記の各板は、例えば厚紙や板紙などの紙製ボードに化粧紙等を貼付して形成される。また、後述する磁石が設けられる箇所においては、紙製シートを磁石と同じ大きさにくり抜き、そこに磁石を嵌合させたうえで化粧紙などを貼付している。
【００１９】
折り畳み箱Ｃは、磁石Ｍ1〜Ｍ６を備える。磁石Ｍ１及びＭ２は側面補強板３に設けられ、磁石Ｍ３は第四側面板４４に設けられ、磁石Ｍ４は第五側面板４５に設けられ、磁石Ｍ５及びＭ６は上面固定板６に設けられる。
磁石Ｍ１〜Ｍ６は、それぞれが設けられる板の最も近い短辺からの距離及び最も近い長辺からの距離がそれぞれ全て等しくなる箇所に設けられる。
【００２０】
図２は第一組立状態における折り畳み箱の略示斜視図である。折り畳み箱Ｃは、展開状態から折り曲げ線Ｌ２において第一側面板４１が手前に９０度折り曲げられることによって第一組立状態になる。
第一組立状態において、底面補強板２は、第一〜第五側面板４１〜４５に嵌合する。その結果、第二側面板と第三側面板は略平行になり、第一側面板４１と第四側面板４４及び第五側面板４５は略平行になった状態で保持される。また、底面補強板２により、底面板１と第一〜第五側面板４１〜４５の間の隙間を埋めることが出来る。
【００２１】
図３は第二組立状態における折り畳み箱の略示斜視図である。折り畳み箱Ｃは、第一組立状態から折り曲げ線Ｌ２において側面補強板が上に９０度折り曲げられることによって第二組立状態になる。このとき、磁石Ｍ１と磁石Ｍ３、磁石Ｍ２と磁石Ｍ４がそれぞれ磁着し、側面補強板３と第四側面板４４及び第五側面板４５が接した状態で保持される。
【００２２】
図４は第三組立状態における折り畳み箱の略示斜視図である。折り畳み箱Ｃは第二組立状態から折り曲げ線Ｌ８において上面板５が手前に９０度折り曲げられ、折り曲げ線Ｌ９において上面固定板６が下に９０度折り曲げられることによって第三組立状態になる。このとき、磁石Ｍ１と磁石Ｍ５、磁石Ｍ２と磁石Ｍ６がそれぞれ磁着し、側面補強板３と上面固定板６が接した状態で保持される。これにより、折り畳み箱Ｃの上面側の開口部を閉じ、さらに上面板５が展開せずに折り畳み箱Ｃの開口部を閉じた状態を保つことが出来る。
【００２３】
折り畳み箱Ｃの使用者は、第二組立状態において内部に収納物を収納し、折り畳み箱Ｃを第三組立状態にすることによって上側の開口部を塞ぐ。
【００２４】
折り畳み箱Ｃは、収納物を収納せずに持ち運ばれるとき、折り畳まれる。
図５は第一折り畳み状態における折り畳み箱の略示斜視図である。折り畳み箱Ｃは展開状態（図１参照）から、折り曲げ線Ｌ３において第二側面板４２が左側に９０度折り曲げられ、折り曲げ線Ｌ５において第四側面板４４が右側に２７０度折り曲げられることによって第一折り畳み状態になる。
【００２５】
図６は第二折り畳み状態における折り畳み箱Ｃの略示斜視図である。図６Ａには上から見たときの斜視図、図６Ｂには下から見たときの斜視図を表している。
折り畳み箱Ｃは第一折り畳み状態（図５参照）から折り曲げ線Ｌ１において側面補強板３が、下側を通って１８０度折り曲げられ、折り曲げ線Ｌ８において上面板５が、下側を通って１８０度折り曲げられることによって第二折り畳み状態になる。
図６Ａに示すように、第二折り畳み状態において折り畳み箱Ｃは底面板１と第一側面板４１を合わせた大きさの平面矩形状に折り畳まれコンパクトになるので、持ち運びしやすい。また折り畳み箱Ｃは、運搬時及び保管時に、例えば運搬用コンテナまたは保管倉庫などの限られた空間により多く収納されることが出来る
また、図６Ｃに示すように、磁石Ｍ１と磁石Ｍ５、磁石Ｍ２と磁石Ｍ６がそれぞれ磁着し、側面補強板３と上面固定板６が接した状態で保持されるので、折り畳み箱Ｃをコンパクトに折り畳まれた状態に保つことが出来る。
【００２６】
（実施形態２）
実施形態１に係る折り畳み箱Ｃは、第四側面板と第五側面板４５は折り曲げ線Ｌ６を介して接続されたが、第四側面板４４と第五側面板４５は非接続でもよい。
以下では、実施形態２について、実施形態１と異なる点を説明する。実施形態１と共通する構成には実施形態１と同一の参照符号を付し、その説明を省略する。
【００２７】
図７は、実施形態２に係る折り畳み箱の展開状態における略示斜視図である。実施形態２に係る第一側面板４１の長辺は、第二側面板４２の長辺と同長であるが、第一側面板４１の長辺の長さはこれに限られない。
【００２８】
第二側面板４２には、下側の短辺に設けられた折り曲げ線Ｌ３ａを介して矩形の第二側面接着板７２が接続される。第二側面接着板７２の前後に延びる辺は、第二側面板４２の短辺と同長であり、第二側面接着板７２の左右に延びる辺は、第一側面板４１の長辺の長さの半分よりも短い。また、第三側面板４３には、下側の短辺に設けられた折り曲げ線Ｌ４ａを介して、第二側面接着板７２と合同な第三側面接着板７３が接続される。
【００２９】
第二側面接着板７２は、折り曲げ線Ｌ３ａが第一側面板４１の右側の短辺に重なるように、第一側面板４１の上面に接着される。第三側面接着板７３は、折り曲げ線Ｌ４ａが第一側面板４１の左側の短辺に重なるように、第一側面板の上面に接着される。即ち、第二側面板４２は折り曲げ線Ｌ３ａと第二側面接着板７２を介して第一側面板４１に接続され、第三側面板４３は、折り曲げ線Ｌ４ａと第三側面接着板７３を介して第一側面板４１に接続される。
【００３０】
図８は、実施形態２に係る折り畳み箱の第一組立状態における略示斜視図である。折り畳み箱Ｃは、展開状態から折り曲げ線Ｌ２において第一側面板４１が手前に９０度折り曲げられ、第二側面板４２、第三側面板４３、第四側面板４４及び第五側面板４５を底面補強板２の辺に沿うように配置させると、第一組立状態になる。このとき、第四側面板４４の左端面と第五側面板４５の右端面は突き当たる。実施形態２に係る第四側面板４４及び第五側面板４５の左右に延びる辺の長さは第一側面板４１も長辺を二等分した長さであり、第四側面板４４と第五側面板４５は合同であるが、第四側面板４４と第五側面板の左右に延びる辺は、長さが異なってもよい。第四側面板４４と第五側面板４５の左右に延びる辺の長さが異なる場合、第四側面板４４の左右に延びる辺と第五側面板４５も左右に延びる辺の長さの合計は、第一側面板４１の長辺と同長になる。
【００３１】
図９は、実施形態２に係る折り畳み箱の第一折り畳み状態における略示斜視図である。折り畳み箱Ｃは、展開状態（図７参照）から、折り曲げ線Ｌ５において第四側面板４４が下側に１８０度折り曲げられ、折り曲げ線Ｌ３ａにおいて第二側面板４２が上側に１８０度折り曲げられ、折り曲げ線Ｌ７において第五側面板４５が上側に１８０度折り曲げられ、折り曲げ線Ｌ４ａにおいて第三側面板４３が右側に１８０度折り曲げられることによって第一折り畳み状態になる。
【００３２】
（変形例）
折り畳み箱Ｃは、実施例に記載の磁石Ｍ１〜Ｍ６に加え、別の磁石を１個以上備えてもよい。例えば、第二側面板４２において、第二側面板４２と第四側面板４４を一直線状にしたとき、折り曲げ線Ｌ５を軸として磁石Ｍ３と線対称となる位置に磁石を設けてもよい。このとき、第一折り畳み状態及び第二折り畳み状態において、該磁石と磁石Ｍ３が磁着し、第一〜第五側面板が折り畳まれた状態を保持することが出来る。また、磁石の数は５個以下でもよい。
【００３３】
折り畳み箱Ｃは、磁石Ｍ１〜Ｍ６のうち一部の磁石の代わりに鉄やニッケルなどの磁性金属板を備えてもよい。例えば、磁石Ｍ１と磁石Ｍ２に代えて、側面補強板３の内部に鉄板を備えてもよい。このとき、磁石Ｍ３及び磁石Ｍ４が該鉄板と磁着することにより、第四側面板４４と第五側面板４５は側面補強板３に固定される。
【００３４】
折り畳み箱Ｃは、磁石Ｍ１〜Ｍ６に代えて、面ファスナーやボタンなどの固定手段を備えてもよい。このとき、該固定手段は、例えば、各板の面に設けられ、側面補強板３には、両面に該固定手段が設けられる。
【００３５】
折り畳み箱Ｃは、底面板１の面上に底面補強板２が備えられるのと同様に、第三組立状態において上面板５の内側になる面上に、上面補強板を備えてもいい。このとき、第三組立状態において上面板と第一〜第五側面板との隙間を埋めることができ、上下を逆さまにした場合にも収納したものが漏れることを防ぐことが出来る。
【００３６】
折り畳み箱Ｃは、底面板１の面上に底面補強板２を備えなくてもよい。このとき、底面板１の、第一〜第五側面板の厚みと同長幅の周縁部を除いた中央部が、前記周縁部よりも厚くなるように底面板１を形成することで、底面補強板２を備えるときと同じ効果を奏することが出来る。
【００３７】
第一側面板４１は、底面板１の短辺に接続してもよい。この場合も、第一側面板４１、第二側面板４２、第三側面板４３、第四側面板４４及び第五側面板４５は、実施形態１と同様に無端状に接続される。
【００３８】
実施形態１に係る折り畳み箱Ｃは、図１０に示すように、第二側面接着板７２及び第三側面接着板７３を備えてもよい。このとき、第二側面板４２は折り曲げ線Ｌ３ａと第二側面接着板７２を介して第一側面板４１に接続され、第三側面板４３は、折り曲げ線Ｌ４ａと第三側面接着板７３を介して第一側面板４１に接続される。
【００３９】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び特許請求の範囲と均等の範囲が含まれることが意図される。
【符号の説明】
【００４０】
１  底面板
２  底面補強板
３  側面補強板
４１  第一側面板
４２  第二側面板
４３  第三側面板
４４  第四側面板
４５  第五側面板
５  上面板
６  上面固定板
Ｍ１〜Ｍ６  磁石
【図１】
0003235248.tif 000003
【図２】
0003235248.tif 000004
【図３】
0003235248.tif 000005
【図４】
0003235248.tif 000006
【図５】
0003235248.tif 000007
【図６】
0003235248.tif 000008
【図７】
0003235248.tif 000009
【図８】
0003235248.tif 000010
【図９】
0003235248.tif 000011
【図１０】
0003235248.tif 000012